(57)【特許請求の範囲】
【請求項１】
紙幣の出し入れを行うための入出金口と、該入出金口に対し入出金する紙幣を収納するリサイクルボックスと、該入出金する紙幣を一時保管するために、該紙幣を巻き付けたり、繰出したりするベルト式一時スタッカと、該紙幣を判別する鑑別部と、上記各部の間で該紙幣を搬送する搬送路とを有する紙幣取引装置において、
該搬送路上の紙幣の有無を記憶する記憶手段と、
該記憶手段が紙幣無しを示しているとき、外部からの指示により上記ベルト式一時スタッカから紙幣を繰出すモータ制御手段と、
上記ベルト式一時スタッカから繰出され、上記搬送路により搬送された紙幣を上記入出金口または上記リサイクルボックスにスタックする紙幣スタックモータ制御手段と、
上記搬送路と上記入出金口と各リサイクルボックスの各々における異常の有無に基づいて、上記ベルト式一時スタッカから上記入出金口または上記リサイクルボックスへ紙幣の搬送が可能であるか否かを判断する判断手段と、
該判断手段により判断した状態を基に、該ベルト式一時スタッカから繰出された紙幣を一時保持するスタッカ出入口での抜取りが可能である旨の第１の表示、上記スタッカ出入口または上記入出金口での抜取りが可能である旨の第２の表示、または上記スタッカ出入口または上記入出金口または上記リサイクルボックスでの抜取りが可能である旨の第３の表示のいずれかを表示する表示手段と、
上記表示手段に表示された表示結果に基づき抜取り可能なスタッカ出入口または入出金口またはリサイクルボックスのいずれかを選択する選択手段と、
上記選択手段により選択されたいずれかに紙幣を搬送するように上記搬送路を制御する制御手段と
を設けたことを特徴とする紙幣取引装置。
【発明の詳細な説明】
【０００１】
【発明の属する技術分野】
本発明は、利用者の操作によって紙幣を出し入れする紙幣取引装置に関し、特にベルト式スタッカを有する紙幣取引装置において、ベルト式スタッカの紙幣を自動的にスタッカ出入口まで指定枚数ずつ繰り出して放出することができる紙幣取引装置に関する。
【０００２】
【従来の技術】
従来より、搬送路が簡素化され、一時保管庫の小型化が可能であり、低コストで操作性の優れた紙幣取引装置として、回転ドラムにベルトで紙幣を巻き付け、繰り出す方式の紙幣取引装置が開発されている。この方式の装置では、短い寸法の紙幣を搬送する場合にも好適であり、かつ装置全体の小型化を図ることも可能である。例えば、特開平11-224362号公報に記載の紙幣取扱装置では、ベルトにより紙幣を巻付けたり、繰り出したりする一時保管庫としてのベルト式スタッカを備えており、紙幣を巻き付ける回転ドラムは一時保管庫に収納する紙幣の有無により起動・停止の制御を行っている。
【０００３】
しかし、ベルト式スタッカへ巻き取った紙幣は、そのままでは係員が手で取り除くことが出来ず、異常等が発生して紙幣を取り除く必要があるときには、ベルト式スタッカの制御が可能であっても、係員または保守員が手でベルト式スタッカのノブを回して１枚１枚取り除くか、あるいは自動で行う場合には、メカ動作がすべて正常終了する時のみ、ベルト式一時スタッカから入出金口に紙幣を搬送している。このため、人手で行う場合には、係員または保守員に大変手間がかかってしまう。例えば、２００枚の紙幣をベルト式スタッカに巻き取っている場合に、手動でノブを回して１枚ずつ取り除くときには、２００回ノブを回さなければならない。一方、自動で行う場合は、鑑別等で異常が発生した場合やジャムが発生した場合、異常を対策し終えるまで一時スタッカの紙幣は取り除くことが出来なかった。
【０００４】
【発明が解決しようとする課題】
前述のように、ベルト式スタッカは、巻取り後の紙幣のスキューおよびシフトを防ぐためにベルトで固定されているので、巻き取った紙幣を取り除くことができず、異常等が発生した場合には、取り除くために時間がかかってしまうという問題があった。しかし、異常であっても巻き取った紙幣を利用者に返却する場合などでは、直ちにベルト式スタッカに巻き取った紙幣を取り除く必要が考えられる。
また、長時間ベルト式スタッカに巻き取ったままにしておくと、紙幣がカールしてしまい、その後の動作でジャム等が発生しやすくなってしまうという問題もあった。
【０００５】
そこで、本発明の目的は、これら従来の問題を解決し、ベルト式スタッカに巻き取った紙幣を、係員の簡単な操作によりベルト式スタッカの紙幣を放出、搬送することで、ベルト式スタッカから多量の紙幣を一度に抜取ることが可能で、ベルト式一時スタッカに巻き取った紙幣を自動で抜取るための搬送先を係員または保守員に連絡することにより、係員の操作方法を明確にし、障害後の作業を迅速に行えるようにする紙幣取引装置を提供することである。
【０００６】
【課題を解決するための手段】
上記目的を達成するため、本発明の紙幣取引装置は、搬送路上の紙幣の有無を記憶する記憶手段と、該記憶手段が紙幣無しを示しているとき、外部からの指示により上記ベルト式一時スタッカから紙幣を繰出すモータ制御手段と、上記ベルト式一時スタッカから繰出され、上記搬送路により搬送された紙幣を上記入出金口または上記リサイクルボックスにスタックする紙幣スタックモータ制御手段と、上記搬送路と上記入出金口と各リサイクルボックスの各々における異常の有無に基づいて、上記ベルト式一時スタッカから上記入出金口または上記リサイクルボックスへ紙幣の搬送が可能であるか否かを判断する判断手段と、該判断手段により判断した状態を基に、該ベルト式一時スタッカから繰出された紙幣を一時保持するスタッカ出入口での抜取りが可能である旨の第１の表示、上記スタッカ出入口または上記入出金口での抜取りが可能である旨の第２の表示、または上記スタッカ出入口または上記入出金口または上記リサイクルボックスでの抜取りが可能である旨の第３の表示のいずれかを表示する表示手段と、上記表示手段に表示された表示結果に基づき抜取り可能なスタッカ出入口または入出金口またはリサイクルボックスのいずれかを選択する選択手段と、上記選択手段により選択されたいずれかに紙幣を搬送するように上記搬送路を制御する制御手段とを設けたことを特徴としている。
【０００８】
【発明の実施の形態】
以下、本発明の実施例を、図面により詳細に説明する。
図１は、本発明の一実施例を示す紙幣取引装置の構成図である。
図１において、３が入出金時の一時保管庫となるベルト式一時スタッカ、９がベルト式一時スタッカと搬送路の結合部に相当するスタッカ出入口部、１が利用者の入出金口、２が紙幣の金種、真偽、正損等の鑑別を行う鑑別部、４が鑑別部で使用不可能な紙幣と鑑別された紙幣を返却する入出金口リジェクト集積部、５は５０００円とリジェクト紙幣を格納する非還流ボックス、６〜８はリサイクルボックスであって、６，７は万円紙幣、８は千円紙幣の格納ボックス、１０は取引時以外に操作された場合を監視して、操作した利用者に対して表示する操作部および表示部、１１〜１７は搬送路、２１〜２５は搬送方向を切り替えるゲートである。
【０００９】
次に、同図を用いて入金時、出金時の各動作を説明する。
入金取引では、利用者が入出金口１に紙幣を投入すると、投入された紙幣は、入出金口１にある図示されていない分離機構によって一枚ずつ分離され、搬送路１１、ゲート２１、搬送路１２を通って鑑別部２へ搬送される。鑑別部２で金種、真偽、正損等必要な鑑別を行った後、搬送路１３、ゲート２２、搬送路１４を介してベルト式一時スタッカ３に巻き取られる。また、ここでリジェクト紙幣があった場合は、同じく搬送路１３、ゲート２２、搬送路１６を介して入出金口リジェクト集積機構４に集積する。入出金口リジェクト集積機構４に紙幣を集積した場合は、再度利用者に投入を促す。
【００１０】
入金された全ての紙幣をベルト式一時スタッカ３に巻取った後、利用者が操作した所定の取引を成立させると、ベルト式一時スタッカ３に巻き取った紙幣を繰出し、ゲート２２、搬送路１４、搬送路１３により再度鑑別部２に搬送して金種の鑑別を行い、金種の鑑別結果が正券なら、搬送路１２、ゲート２１、搬送路１７、ゲート２３、ゲート２４またはゲート２５を介して万円リサイクルボックス６、７または千円リサイクルボックス８に搬送し、集積収納する。また、鑑別部２による金種判定が５千円あるいはリジェクト券ならば、搬送路１２、ゲート２１、搬送路１７、ゲート２３を介して非還流ボックス５へ収納する。
その後、ベルト式一時スタッカ３の繰出しが終了したならば、入金取引を終了する。
また、入金取引の際に、紙幣を全てベルト式一時スタッカ３に巻取った後、利用者が取引を中止すると、ベルト式一時スタッカ３に巻き取った紙幣を繰出し、ゲート２２、搬送路１５、搬送路１６を通って、入出金口１に集積収納する。
【００１１】
次に、出金取引では、利用者が出金要求した枚数の紙幣を各金種の保管庫であるリサイクルボックス６、７または８から、図示されていない分離機構により一枚ずつ分離し、搬送路１７、ゲート２５、ゲート２４、ゲート２３、搬送路１２を通って、鑑別部２に搬送し、搬送路１３、ゲート２２、搬送路１６を通って、入出金口１に集積し、これを放出して出金取引を終了する。このときリジェクト紙幣があった場合には、搬送路１３、ゲート２２、搬送路１４を介してベルト式一時スタッカ３に巻き取り、その後リサイクルボックス６、７または８からの分離が終了したならば、ベルト式一時スタッカ３から紙幣を繰出し、ゲート２２、搬送路１４、搬送路１３、搬送路１２、搬送路１７、ゲート２３を介して非還流ボックス５へ収納する。なお、装填ボックスは、ボックス５〜８のうちの１つを割り当てることにより、その機能を果すことができる。ここでは、非還流ボックス５を装填ボックスとして兼用している。
ベルト式一時スタッカの出入口部９は、ベルト式一時スタッカ３のベルトと搬送路の受渡し部で、残紙幣等を数枚スタックし、スタックした紙幣等を取り除くことができる位置である。係員または保守員は、ベルト式一時スタッカ３から繰出された紙幣を、ここから除去することができる。
【００１２】
図２は、図１における紙幣取引装置の制御系のブロック図である。
回線制御部２２は、上位装置２０（たとえばＡＴＭ本体）からの入金、出金などの指示情報を受信して主制御部２１に連絡したり、処理結果を主制御部２１から受取り上位装置２０に送信したりするものである。
センサ制御部２３は、搬送路上の紙幣の通過や残留およびゲートを駆動させるアクチュエータなどの定位置を監視している複数のセンサ情報を読取り、主制御部２１に連絡するものである。
上下搬送モータ制御部２４は、主制御部２１の指示により上搬送路である搬送路１１〜１６および下搬送路である搬送路１７を駆動するモータをＯＮ／ＯＦＦするためのものである。
搬送チェック制御部２５は、上下搬送路およびスタック入口での区間ジャムチェックを行い、チェック結果を主制御部２１に報告するものである。
ゲート制御部２６は、搬送路上のゲート２１〜２５を主制御部２１の指示によりＯＮまたはＯＦＦし、搬送されてくる紙幣の行先を切替えるものである。
鑑別部２は、搬送されてくる紙幣の金種、真偽、正損等の必要な鑑別を行い、一枚毎の鑑別結果と搬送先を主制御部２１に連絡するものである。
【００１３】
紙幣分離モータ制御部２７は、主制御部２１の指示により各紙幣収納部より紙幣を繰出すために、繰出しローラを駆動するモータをＯＮ／ＯＦＦするためのものである。
紙幣スタックモータ制御部２８は、主制御部２１の指示により搬送されてくる紙幣をスタックするために、シートローラを駆動するモータをＯＮ／ＯＦＦするためのものである。
操作部２９は、取引中でない時に操作器１０を監視し、操作があった場合、主制御部２１に連絡するものである。
ホイールモータ制御部３０とリールモータ制御部３１は、主制御部２１の指示により、ベルト式一時スタッカ３に一枚ずつ紙幣を巻き付けたり（ホイールモータ）、繰り出したり（リールモータ）するために、ホイールモータ、リールモータのＯＮ／ＯＦＦや速度制御をするためのものである。
紙幣有無記憶部３２は、上下搬送路１１〜１７、ベルト式一時スタッカ３およびベルト式一時スタッカの出入口部９の紙幣の有無を記憶するものである。ジャム等により、いずれかに紙幣が残留すれば、搬送チェック制御部２５からの通知により、その位置と枚数が記憶される。
表示部３３は、後述の図６および図７で説明するが、紙幣取引装置の状態を係員または保守員に連絡するために、主制御部２１の指示により情報を表示するものであって、図２に示す制御系各部の近傍の筐体表面に配置される。
【００１４】
図３〜図５は、本発明の第１〜第３の実施例を示す動作フローチャートであって、図３は、第１の実施例としてベルト式スタッカから他のユニットへの繰出しフローを示し（請求項１）、図４は、第２の実施例としてベルト式スタッカからベルト式スタッカ出入口部への繰出しフローを示し（請求項２）、図５は、第３の実施例としてベルト式スタッカからの繰出し先判定フローを示す（請求項３）。
図３では、正常時に取引実行に従ってベルト式スタッカから他のユニット、例えば入出金口１またはリサイクルボックス６〜８へ紙幣を繰出し、入出金口１またはリサイクルボックス６〜８、あるいは非還流ボックス５から紙幣を抜き取る場合の動作を示している。
【００１５】
（第１の実施例）
主制御部２１は、回線制御部２２を通じて上位装置２０からの取引の指示を監視し（ステップ１００）、指示を受けると、各制御部に動作を指示し、取引を実施する（ステップ１０１）。上位装置２０からの取引の指示がない場合、主制御部２１は係員からの操作があったかどうかを調べるために、操作部２９を監視する（ステップ１０２）。主制御部２１は、操作部２９からの報告を受けると、入出金口１への搬送か、リサイクルボックス６、７、８への搬送かをチェックし（ステップ１０３）、入出金口１への搬送の場合には、ゲート２２が入出金口１へ搬送されるようにゲート制御部２６に指示し（ステップ１０４）、入出金口１のスタックを開始するように、紙幣スタックモータ制御部２８に指示する（ステップ１０５）。一方、搬送先がリサイクルボックス６、７、８の場合には、ゲート２１〜２５が指示されたリサイクルボックスへ搬送されるようにゲート制御部２６に指示し（ステップ１０６）、指示されたリサイクルボックスのスタックを開始するように紙幣スタックモータ制御部２８に指示し（ステップ１０７）、下搬送路１７を起動するように上下搬送モータ制御部２４に指示する（ステップ１０８）。この時、下搬送路１７に紙幣が有っても、指示されたリサイクルボックスへ搬送することができる。
【００１６】
次に、上搬送路１１〜１６を起動するように上下搬送モータ制御部２４に指示する（ステップ１０９）。下搬送路１７と同様に、上搬送路１１〜１６に紙幣が有っても、指示された搬送先へ搬送することができる。上搬送路１１〜１６に紙幣がある場合には、紙幣がなくなるまで待つために、紙幣有無記憶部３２の情報をチェックする（ステップ１１０）。そして、ベルト式スタッカ３から繰出しを開始するようホイールモータ制御部３０およびリールモータ制御部３１に指示する（ステップ１１１）。ベルト式スタッカ３からの繰出しが終了したら、上搬送路１１〜１６を停止するよう上下搬送モータ制御部２４に指示する（ステップ１１２）。さらに、下搬送路１７が起動中であれば（ステップ１１３）、下搬送路１７を停止するように上下搬送モータ制御部２４に指示する（ステップ１１４）。
最後に、入出金口への搬送指示であったか、あるいはリサイクルボックスへの搬送指示であったかを確認し（ステップ１１５）、指示したスタック動作を停止するように、紙幣スタックモータ制御部２８に指示する（ステップ１１６、ステップ１１７）。
これにより、ベルト式スタッカ３に巻き取った紙幣を、係員または保守員の操作により入出金口１やリサイクルボックス６、７、８に搬送することができるので、動作終了後、搬送先から容易に紙幣を抜取ることができる。
【００１７】
以上の実施例では、ベルト式スタッカ３の繰出しを、巻き取った紙幣をすべて繰出す場合について説明したが、外部から指示することでその一部を繰出すことも勿論可能である。また、自動で繰出す場合について説明したが、繰出しを係員または保守員がノブを回して１枚１枚繰出す手操作で行うことも可能である。これらは、主制御部２１が、ベルト式スタッカ繰出し中に操作部２９を監視することにより実現できる。
さらに本実施例では、搬送先がリサイクルボックス６、７、８の場合について説明したが、非還流ボックス５への搬送についても、同様な方法で実現できる。
【００１８】
（第２の実施例）
以下、本発明の第２の実施例を説明する。
図４は、本発明の第２の実施例を示す紙幣抜取り方法の動作フローチャートであって、ベルト式スタッカからベルト式スタッカ出入口部への繰出しフローを示す。また、図６および図７（ａ）（ｂ）（ｃ）は、本実施例で使用される操作器および表示器の位置と表示例を示す図である。
図１の紙幣取引装置の構成図と図２の紙幣取引装置の制御ブロック図も参照しながら動作を説明する。
前の図３と同様に、主制御部２１は、回線制御部２２を通じて上位装置２０からの取引の指示を監視し（ステップ１００）、指示を受けると、各制御部に動作を指示し、取引を実施する（ステップ１０１）。上位装置２０からの取引の指示がない場合、主制御部２１は係員からの操作があったかどうかを調べるために、操作部２９を監視する（ステップ２０２）。何等かの要因でジャムやその他の故障等、異常が発生した場合、巻き取った紙幣を利用者に返却する等の理由で、直ちにベルト式スタッカに巻き取った紙幣を抜取る必要が生じたとする。
主制御部２１は、操作部２９からの報告を受けると、ベルト式スタッカ出入口部９に紙幣がないことを確認するために、紙幣有無記憶部３２の情報をチェックする（ステップ２０３）。このとき、図６に示すように、表示器４０に紙幣がない部分が点灯する。ベルト式スタッカ出入口部９に紙幣がある場合は、係員に紙幣を取り除いてもらうよう連絡するために、表示部３３に指示する（ステップ２０４）。すなわち、図７（ｂ）４７の表示が出力される。
【００１９】
主制御部２１は、ベルト式スタッカ出入口部９に紙幣がないことを確認したならば、ベルト式スタッカ３から指定枚数（ベルト式スタッカ出入口部９にスタック可能な枚数）の繰出しを開始するようホイールモータ制御部３０とリールモータ制御部３１に指示する（ステップ２０５）。ベルト式スタッカ３からの指定枚数繰出しが終了したら、ベルト式スタッカ３に巻き取った紙幣を全て繰出したかどうか判定するために、紙幣有無記憶部３２の情報をチェックする（ステップ２０６）。ベルト式スタッカ３に紙幣が有る場合は、再度ベルト式スタッカ出入口部９に紙幣がないことを確認するために、紙幣有無記憶部３２の情報をチェックする（ステップ２０３）。
以上を繰返し行い、ベルト式スタッカ３から全ての紙幣を繰出し、紙幣がなくなったなら、係員に処理の終了を連絡するために、表示部３３に‘終了’を表示する（ステップ２０７）。すなわち、図７（ｂ）４８の表示が出力される。
これにより、ベルト式スタッカ３に巻き取った紙幣を、係員または保守員の一度の操作によりベルト式スタッカ出入口部９まで指定枚数ずつ、全ての紙幣を抜取ることができる。
なお、係員または保守員への連絡手段としては、上記の表示器の他に音声ガイダンス等も考えられる。
【００２０】
図７（ａ）に示すように、紙幣取引装置のリサイクルボックス６〜８、非還流ボックス５の裏側下方に図２に示す制御部５０が配置され、その近辺の筐体表面、すなわち、利用者側とは反対側の表面に操作器および表示器４０が配置されている。
図６に、制御系の操作部２９および表示部３３が監視・制御する操作器および表示器４０の一例を示す。図６の表示器４０は表示部３３からの切替え指示により図７（ｂ）（ｃ）の表示器４０ａ，４０ｂにも切り替えられる。
図６の点灯している部分（暗く塗りつぶされた部分）は搬送可能なユニットであって、左側には取引装置の全体概略図、右側には各部の押ボタンスイッチが表示されている。入出金口４１、ベルト式スタッカ出入口４２、リサイクルボックス（Ａ）４３、リサイクルボックス（Ｂ）４４、リサイクルボックス（Ｃ）４５、リサイクルボックス（Ｄ）４６のうち、入出金口４１とベルト式スタッカ出入口４２のみ点灯しており、これらにのみ搬送可能であるので、いずれか一方のボタンを押下することにより、そのユニットに紙幣の搬送を開始する。
【００２１】
図７（ｂ）に切り替えられたときには、『ベルト式スタッカ出入口の紙幣を取除いて下さい』４７、または『紙幣はありません、終了しました』４８のいずれかが表示される。また、図７（ｃ）に切り替えられたときには、『ベルト式スタッカ出入口での抜取り可能です』４９、または『ベルト式スタッカ出入口または入出金口での抜取り可能です』５１、または『ベルト式スタッカ出入口または入出金口またはリサイクルボックスでの抜取り可能です』のいずれかが表示される。
これらの表示器により、ベルト式一時スタッカ３に巻き取った紙幣を自動で抜取るための搬送先を、係員または保守員に連絡することにより、操作方法を明確にし、異常後の対応を迅速にすることができる。また、ベルト式スタッカ出入口９にある紙幣を取除く指示を表示したり、紙幣がなくなり、処理が終了したことを表示することにより、係員や保守員が途中で他の操作をすることがないように、また明確な指示を出して迅速に操作できるようにしている。
なお、以上の実施例以外にも、係員または保守員への連絡手段としては、音声ガイダンス等も考えられる。
【００２２】
（第３の実施例）
以下、本発明の第３の実施例について説明する。
図５は、本発明の第３の実施例を示す動作フローチャートであって、ベルト式スタッカからの繰出し先判定、すなわち搬送が終了した後に区間ジャムの有無のチェック動作を示している。
主制御部２１は、取引が終了すると搬送チェック制御部２５から区間ジャムの報告があったかどうかチェックする（ステップ３００）。報告があった場合、上搬送路１１〜１６および下搬送路１７それぞれの区間ジャムの報告があるかチェックし（ステップ３０１、ステップ３０３）、それぞれの報告により区間ジャムの位置を記憶する（ステップ３０２、ステップ３０４）。
さらに、主制御部２１は、搬送する先がスタック可能かどうかチェックするために、紙幣スタックモータ制御部２８から入出金口１およびリサイクルボックス６、７、８の各スタックモータの異常が報告されているかどうかチェックし（ステップ３０５、ステップ３０７）、異常が報告されている場合は、それぞれの異常を記憶する（ステップ３０６、ステップ３０８）。
【００２３】
次に、主制御部２１は、上搬送路１１〜１６が搬送可能かどうかチェックするために、上下搬送モータ制御部２４から上搬送モータの異常が報告されているかどうかチェックする（ステップ３０９）。上搬送モータの異常が報告されている場合は、他のユニットへの搬送ができないため、係員にベルト式スタッカ３に巻き取られた紙幣を、ベルト式スタッカ出入口部９で抜取るよう連絡する。すなわち、この場合には、異常を回復する前に搬送路中の紙幣を抜取る必要があるので、表示部３３から指示することにより、図７（ｃ）４９に示すように、表示器４０ｂに『ベルト式スタッカ出入口での抜取り可能です』と表示する（ステップ３１１）。また、上搬送モータの異常が報告されていない場合には、入出金口１の異常を記憶しているかどうかチェックし（ステップ３１０）、記憶している場合には、上記と同様に、他のユニットへの搬送ができないため、係員にベルト式スタッカ出入口部９で抜取るよう連絡するために、表示部３３に指示し、図７（ｃ）４９のように表示器４０ｂに表示する（ステップ３１１）。
ここで、上搬送モータおよび入出金口１がともに正常の場合には、入出金口１に搬送可能であることになる。このときには、図６の表示器４０に示すように、入出金口４１とベルト式スタッカ出入口４２に点灯されることになる。
【００２４】
次に主制御部２１は、リサイクルボックス６、７、８に搬送可能かどうかチェックする。まず主制御部２１は、下搬送路１７が搬送可能かどうかチェックするために、上下搬送モータ制御部２４から下搬送モータの異常が報告されているかどうかチェックする（ステップ３１２）。下搬送モータの異常が報告されている場合は、リサイクルボックス６、７、８への搬送ができないため、係員にベルト式スタッカ３に巻き取られた紙幣を、ベルト式スタッカ出入口部９または入出金口１で抜取るよう連絡する。そのため、表示部３３に指示し、図７（ｃ）５１に示すように表示器４０ｂに『ベルト式スタッカ出入口または入出金口での抜取り可能です』と表示する（ステップ３１４）。また、下搬送モータの異常が報告されていない場合には、リサイクルボックスの異常を記憶しているかどうかチェックし（ステップ３１３）、記憶している場合は上記と同様に、リサイクルボックス６、７、８への搬送ができないため、係員にベルト式スタッカ出入口部９または入出金口１で抜取るよう表示部３３に連絡する。この場合にも、図７（ｃ）５１に示すように表示器４０ｂに表示する（ステップ３１４）。そして、上下搬送路１１〜１７、入出金口１およびリサイクルボックス６、７、８に異常が何もない場合は、係員にベルト式スタッカ３に巻き取られた紙幣を、ベルト式スタッカ出入口部９または入出金口１またはリサイクルボックス６、７、８で抜取るよう連絡するために、表示部３３に指示する。このときには、図７（ｃ）５２に示すように『ベルト式スタッカ出入口または入出金口またはリサイクルボックスでの抜取り可能です』と表示する（ステップ３１５）。
【００２５】
【発明の効果】
以上説明したように、本発明によれば、（１）ベルト式スタッカに巻き取った抜取り困難な紙幣を、係員の操作により抜取りが容易なユニットへ搬送することにより、自動でベルト式スタッカの紙幣を抜取ることができる。また、（２）ベルト式スタッカに巻き取った抜取り困難な紙幣を、他のユニットへ搬送することができない場合でも、係員の操作により紙幣の抜取りができるベルト式スタッカの出入口まで指定枚数ずつ搬送することにより、自動でベルト式スタッカの紙幣を抜取ることができる。さらに、（３）ベルト式一時スタッカに巻き取った紙幣を自動で抜取るための搬送先を係員または保守員に連絡することにより、操作方法を明確にし、障害後の作業を迅速に行えるようにすることができる。
【図面の簡単な説明】
【図１】本発明の一実施例を示す紙幣取引装置の全体構成図である。
【図２】図１の紙幣取引装置の制御系ブロック図である。
【図３】本発明の第１の実施例を示すベルト式スタッカから他のユニットへの繰出しフローチャートである。
【図４】本発明の第２の実施例を示すベルト式スタッカからベルト式スタッカ出入口部への繰出しフローチャートである。
【図５】本発明の第３の実施例を示すベルト式スタッカからの繰出し先判定フローチャートである。
【図６】本発明において使用される操作器および表示器の一例を示す図である。
【図７】図６が切り替えられることにより表示される係員および保守員への表示器である。
【符号の説明】
１…入出金口、２…鑑別部、３…ベルト式一時スタッカ、
４…入出金口リジェクト集積機構、５…非還流ボックス、
６、７、８…リサイクルボックス、９…ベルト式一時スタッカの出入口部、
１０…取引以外での利用者の操作器と表示器、１１〜１７…搬送路、
２１〜２５…ゲート、２０…上位装置、２１…主制御部、２２…回線制御部、
２３…センサ制御部、２４…上下搬送モータ制御部、
２５…搬送チェック制御部、２６…ゲート制御部、
２７…紙幣分離モータ制御部、２８…紙幣スタックモータ制御部、
２９…操作部、３０…ホイールモータ制御部、３１…リールモータ制御部、
３２…紙幣有無記憶部、３３…表示部、４０，４０ａ，４０ｂ…表示器、
４１〜４６…スイッチ、５０…制御部、４７〜４９，５１，５２…表示例。
【図１】
0004408168.tif 000002
【図２】
0004408168.tif 000003
【図３】
0004408168.tif 000004
【図４】
0004408168.tif 000005
【図５】
0004408168.tif 000006
【図６】
0004408168.tif 000007
【図７】
0004408168.tif 000008